(57)【要約】  基板（２）と、基板（２）の表面（２ａ）に形成されるアンテナ（３）と、基板（２）の裏面（２ｂ）に形成されアンテナ（３）より面積が大きい第１のグランド（５）と、基板の表面に形成され前記第１のグランド（５）より面積が小さい第２のグランド（４）と、を備える。第２のグランド（４）は、アンテナ（３）とは絶縁され、第１のグランド（５）とは基板（２）の端部で接続されていることにより、アンテナ（３）の性能を維持しつつ、アンテナ装置（１）全体を小型化することができる。
2017051526.tif 000002
【特許請求の範囲】
【請求項１】
基板と、
前記基板の表面に形成されるアンテナと、
前記基板の裏面に形成され前記アンテナより面積が大きい第１のグランドと、
前記基板の表面に形成され前記第１のグランドより面積が小さい第２のグランドと、を備え、
前記第２のグランドは、前記アンテナとは絶縁され、前記第１のグランドとは前記基板の端部で接続されているアンテナ装置。
【請求項２】
前記アンテナに空隙を設けた請求項１に記載のアンテナ装置。
【請求項３】
前記基板は長尺状であって、前記基板の長手方向に沿って、前記アンテナと前記第２のグランドが配置されている請求項１に記載のアンテナ装置。
【請求項４】
前記アンテナと前記第２のグランドを覆う位置に無給電のアンテナを設けた請求項１に記載のアンテナ装置。
【発明の詳細な説明】
【技術分野】
【０００１】
本開示は、平面型のアンテナ装置に関する。
【背景技術】
【０００２】
特許文献１は、平面型のアンテナ装置の一例であるパッチアンテナが開示されている。
【先行技術文献】
【特許文献】
【０００３】
【特許文献１】特開２０１３−７８０２７号公報
【発明の概要】
【０００４】
本開示は、アンテナに求められる性能を維持しつつ、アンテナ装置全体を小型化することができるアンテナ装置を提供する。
【０００５】
本開示におけるアンテナ装置は、基板と、基板の表面に形成されるアンテナと、基板の裏面に形成されアンテナより面積が大きい第１のグランドと、基板の表面に形成され前記第１のグランドより面積が小さい第２のグランドと、を備える。第２のグランドは、アンテナとは絶縁され、第１のグランドとは基板の端部で接続されている。
【０００６】
本開示におけるアンテナ装置は、アンテナに求められる性能を維持しつつ、アンテナ装置全体を小型化することができる。
【図面の簡単な説明】
【０００７】
【図１】図１は、実施の形態におけるアンテナ装置の外観図である。
【図２】図２は、図１の２-２断面図である。
【図３】図３は、図１のアンテナ装置の変形例の外観図である。
【図４】図４は、図１のアンテナ装置の変形例の外観図である。
【図５】図５は、アンテナ装置のＸＹ平面のピークゲインを示した図である。
【図６】図６は、アンテナ装置のＸＺ平面のピークゲインを示した図である。
【図７】図７は、他の実施の形態におけるアンテナ装置の断面図である。
【図８】図８は、他の実施の形態におけるアンテナ装置の断面図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
（実施の形態）
以下、図１〜図４を用いて、実施の形態を説明する。
【００１１】
［１−１．構成］
図１、２を用いて、アンテナ装置の構成を説明する。図１は、実施の形態におけるアンテナ装置の外観図、図２は、図１の２-２断面図である。
【００１２】
本実施の形態のアンテナ装置１は、例えばＷｉＦｉやＢｌｕｅｔｏｏｔｈ（登録商標）で利用される２．４ＧＨｚ帯のアンテナであり、例えば、自動車、飛行機等に搭載される様々な電子機器に利用することが可能である。
【００１３】
図１に示すように、アンテナ装置１は、基板２と、アンテナ３と、第１のグランド４と、第２のグランド５と、を備えている。
【００１４】
基板２は、例えばガラスエポキシ基板であって誘電体からなる。アンテナ３は、基板２の表（おもて）面（上面）２ａに設けられている。第１のグランド４は、アンテナ３と同じく基板２の表面２ａに設けられている。このとき、アンテナ３と第１のグランド４とは、基板２の長手方向に（ｘ軸方向）沿って並べて配置されている。第２のグランド５は、基板２の裏面（下面）２ｂ（アンテナ３とは異なる下面）の全体にわたって設けられている。
【００１５】
図２に示すように、アンテナ装置１には、基板２の表面２ａから裏面２ｂにかけて貫通する複数の貫通孔内にビア６、７、８が設けられている。ビア６は、アンテナ３と電子機器の給電部とを接続する。ビア６は、アンテナ装置１の短辺における中心点を通り、短辺と直角となる直線上より少しずらして配置することで、インピーダンス整合を取っている。
【００１６】
ビア７は、アンテナ３と第２のグランド５とを接続するものであり、複数個設けられている。ビア８は、第１のグランド４と第２のグランド５とを接続するものであり、複数個設けられている。なお、ビア７、ビア８は図１において５個ずつ設けてあるが、他の個数であってもよい。
【００１７】
次に、ビア８を配置する位置について説明する。ビア８は、基板２の端部に配置されており、第１のグランド４と第２のグランド５は、基板２の端部で接続されている。第１のグランド４と第２のグランド５とは、ビア８を介して１枚のグランドとして機能している。このため、グランドの面積を大きくするためには、ビア８は、基板２のより端部側に配置されるのが好ましい。
【００１８】
なお、第１のグランド４と第２のグランド５との接続は、ビア８を用いなくてもよい。図３に示すように、例えば、基板２の側面に導体１０を設けて、これをビア８のかわりにしてもよい。また、図４に示すように、例えば、１枚の板状の導体１１を折り曲げることによって、第１のグランド４と第２のグランド５と導体１０を設けてもよい。
【００１９】
アンテナ３は、基板２の表面２ａに例えば銅箔などの導電体で形成されている。アンテナ３は、第１のグランド４を介して第２のグランド５と接続している。アンテナ３の面積は、基板２の底面積の約半分である。
【００２０】
第１のグランド４は、アンテナ３と同じく、基板２の表面２ａに例えば銅箔などの導電体で形成されている。第１のグランド４とアンテナ３とは、その間にギャップを設けることによって、同一平面上であっても絶縁されている。なお、第１のグランド４の面積は、アンテナ３の面積より小さい。
【００２１】
第２のグランド５は、基板２の裏面２ｂ、つまりアンテナ３と第１のグランド４とが形成されている面とは反対側の面に、例えば銅箔などの導電体で形成されている。本実施の形態では、基板２の裏面２ｂの全体に第２のグランド５が設けられている。第２のグランド５の面積は、アンテナ３、および第１のグランド４のそれぞれの面積より大きく、さらにアンテナ３と第１のグランド４の合計の面積よりも大きい。
【００２２】
アンテナ３と第１のグランド４と第２のグランド５は、板状である。板状とは、導電体のパターンが例えば矩形状、ループ状、環状など帯状に形成されていれば特に限定せず、全体として面状になっているものを含む。
【００２３】
ここで、本開示の一形態を得るに至った経緯として、以下の点が挙げられる。パッチアンテナを小型化する場合、アンテナ部分はショートパッチアンテナ等で小型化できるが、グランドを小型化することが困難なため、アンテナ装置全体の小型化が困難であった。しかし、以上の構成により、アンテナ３を小型化したときに生まれるスペースに第１のグランド４を設けることによって、基板２に占めるグランド全体の面積を一定以上確保できるので、基板２の底面積を小さくしたアンテナ装置１を提供できる。その結果、アンテナ装置１全体を小型化することができる。
【００２４】
［１−２．性能］
以上のように構成されたアンテナ装置の性能に関して、図５、図６を用いて説明する。図５は、実施の形態におけるアンテナ装置のＸＹ平面のピークゲインを示す図、図６は、比較例におけるアンテナ装置のＸＹ平面のピークゲインを示す図である。
【００２５】
ここで、図５は、上記図１、図２で説明したアンテナ装置１のアンテナ性能を表したものであり、アンテナ装置１（第２のグランド５）のサイズが約２５ｍｍ×約２０ｍｍ（アンテナのサイズは約２３ｍｍ×約１８ｍｍ）のものであり、比誘電率が５．０の基板２を利用している。一方、図６は、比較例としてのアンテナ装置のアンテナ性能を表したものであり、アンテナ装置（グランド）のサイズが約５０ｍｍ×約５０ｍｍのものであり（アンテナのサイズは約３５ｍｍ×約３５ｍｍ）、比誘電率が１１．６の基板２を利用している。
【００２６】
図５において、横軸は周波数、縦軸は利得を表し、実線は自由空間にて測定したピークゲイン、破線はグランド側を金属板上に配置して測定したピークゲインである。ここで、金属板上に配置した場合とは、周辺に他の金属部品が存在する電子機器を搭載する場合を想定している（図６も同様）。
【００２７】
図５において、自由空間のピークゲインは、約−３ｄＢｉ〜約−７ｄＢｉとなっているが、金属板上のピークゲインは、約０ｄＢｉ〜約２ｄＢｉとなっており、自遊空間の場合より金属板上の場合の方がアンテナ性能は向上することが分かる。
【００２８】
一方、図６においては、自由空間のピークゲインは、約−１ｄＢｉ〜−５ｄＢｉ、金属板上のピークゲインは、約−２ｄＢｉ〜−０ｄＢｉとなっていることが分かる。
【００２９】
つまり、金属板上、つまり電子機器に搭載する場合、本実施の形態のアンテナ装置１は、従来の一般的なパッチアンテナより、最大で約２ｄＢｉ（周波数が２４３０ＭＨｚの場合）アンテナ性能が向上していることが分かり、他の周波数においてもアンテナ性能が向上していることが分かる。
【００３０】
つまり、比誘電率が約半分（比誘電率が小さいとアンテナ装置のサイズは大きくなる）の基板を用いて、かつアンテナ装置のサイズを本実施の形態のように約半分にしてもアンテナの性能が維持されていることが分かる。
【００３１】
［１−３．効果等］
以上のように、本実施の形態において、第１のグランド４を設けることでアンテナ装置１を小型化することができるため、アンテナの性能を維持しつつ、アンテナ装置１全体を小型化することができる。
【００３２】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００３３】
そこで、以下、他の実施の形態を例示する。
【００３４】
実施の形態では、アンテナ３と第１のグランド４を同一平面上に形成したが、多層基板を用いて、アンテナ３、第１のグランド４、第２のグランド５がそれぞれ別の面に形成されていてもよい。
【００３５】
また、電子機器に搭載する場合、他の電子機器の配線も考慮する必要があるため、アンテナ装置１に１つまたは複数のビアを設けることがある。このとき、例えば、図７に示すように基板２におけるアンテナ３の位置に電気的に接続されないビア９を設け、アンテナ３には、ビア９と電気的に接続しないように、アンテナ３におけるビア９の周囲に穴からなる空隙９ａを設ける。
【００３６】
この場合、空隙９ａを設ける前と比べてアンテナ装置１の周波数が低くなる。そうすると、本来の周波数にするため、アンテナ３のサイズをさらに小さくする必要がある。つまり、空隙９ａを設けることで、さらにアンテナ装置１の小型化を図ることができる。
【００３７】
また、図８に示すように、無給電アンテナ１０を設けてアンテナ装置を作成することもできる。この場合、利用できる帯域が広がるため、アンテナ３を無給電アンテナ１０がない場合と比較して小さくすることができる。このとき、無給電アンテナ１０には、ビア６、ビア７とは接続しないように、図７と同様に空隙６ａ、空隙７ａを設けている。空隙６ａの内面とビア６、空隙７ａの内面とビア７、空隙９ａの内面とビア９、のそれぞれが接触しない形状および大きさであれば、空隙６ａ、７ａ、９ａの形状は、円形、三角形、多角形でもよく、また、大きさも特に限定しない。また、空隙６ａ、７ａ、９ａは穴に限らず、例えば切欠き、スリットでもよい。
【００３８】
なお、上述の実施の形態は、本開示における技術を例示するためのものであるから、請求の範囲またはその均等の範囲において種々の変更、置き換え、付加、省略などを行うことができる。
【産業上の利用可能性】
【００３９】
本開示は、アンテナ装置の小型化が可能であるため、無線機器のアンテナとして、ＰＣ（Ｐｅｒｓｏｎａｌ  Ｃｏｍｐｕｔｅｒ）、携帯端末、移動体（車、バス、飛行機等）などの様々な電子機器に適用可能である。
【符号の説明】
【００４０】
１  アンテナ装置
２  基板
３  アンテナ
４  第１のグランド
５  第２のグランド
６，７，８，９  ビア
６ａ，７ａ，９ａ  空隙
１０  無給電アンテナ
【図１】
2017051526.tif 000003
【図２】
2017051526.tif 000004
【図３】
2017051526.tif 000005
【図４】
2017051526.tif 000006
【図５】
2017051526.tif 000007
【図６】
2017051526.tif 000008
【図７】
2017051526.tif 000009
【図８】
2017051526.tif 000010
【国際調査報告】
2017051526.tif 000011
2017051526.tif 000012